(57)【要約】【課題】ジャンクションボックスを用いた屋外電灯器具用電力供給装置の電圧降下による弊害を最小限に留める。【解決手段】本発明にかかる電力供給装置１は、トランス本体９とジャンクションボックス２ａとを機械的に結合して一体化させることにより、ＤＣトランスとジャンクションボックス２ａのコネクタとを最短のコードで接続し、主電線で発生する電圧降下を無視できる程度に留めている。これに伴い、従来の電力供給装置に比較して電力供給装置１に接続する電灯機器の数を増やすことができ、また配線のトータルの長さを長くすることができる。【選択図】図１
2011200070.tif 000002
【特許請求の範囲】
【請求項１】
商用電源から供給される交流電力をＤＣトランスで所定の電圧の直流電力に変換した後、この直流電力を、カスケード接続された少なくとも２個のジャンクションボックスを用いて、屋外に設置された動作電圧の等しい複数の電灯器具に供給する屋外電灯器具用電力供給装置であって、
前記ＤＣトランスに接続された１段目のジャンクションボックスは、少なくとも３個の端子を有する第１のコネクタと、この第１のコネクタと同数の端子を有する第２のコネクタとで構成された配線器具がケース内に収容されたものであり、
前記配線器具は、前記第１のコネクタの少なくとも３個の端子と前記第２のコネクタの少なくとも３個の端子がそれぞれ端子対をなし、
前記配線器具の端子対のうち１個の端子対が前記ＤＣトランスの出力側に接続され、他の少なくとも１個の端子対が、後段のジャンクションボックスの端子対に接続され、残りの端子対が、それぞれ前記電灯器具に接続されており、
かつ、前記ＤＣトランスをケースに収容したトランス本体と前記１段目のジャンクションボックスとが一体化して構成されていることを特徴とする屋外電灯器具用電力供給装置。
【請求項２】
前記トランス本体と前記１段目のジャンクションボックスとは、それぞれのケースに取り付けられたジョイント部により電気的に接続され、かつ機械的に結合されていることを特徴とする、請求項１に記載の屋外電灯器具用電力供給装置。
【請求項３】
前記トランス本体および前記１段目のジャンクションボックスは、一体化された状態で家屋の外壁面に取り付けられていることを特徴とする、請求項１または２に記載の屋外電灯器具用電力供給装置。
【請求項４】
前記第１のコネクタおよび第２のコネクタは、前記ジャンクションボックスのケース内に浮いた状態で収容されていることを特徴とする、請求項１ないし３のいずれかに記載の屋外電灯器具用電力供給装置。
【請求項５】
前記トランス本体には、前記ＤＣトランスと前記１段目のジャンクションボックスとを、所定の期間電気的に接続するタイマーが収容されていることを特徴とする、請求項１ないし４のいずれかに記載の屋外電灯器具用電力供給装置。
【発明の詳細な説明】
【技術分野】
【０００１】
本発明は、庭園などの屋外に設置された複数の電灯器具に電力を供給する屋外電灯器具用電力供給装置に関する。
【背景技術】
【０００２】
庭園などの屋外に設置される電灯器具については、安全性や作業性の観点から、低電圧で動作するＬＥＤなどを光源とする電灯器具が用いられるようになってきている。そしてこの電灯器具には、商用電源から供給された交流電力がＤＣトランスにより直流電力に変換された後、その直流電力が供給される（例えば特許文献１参照）。
【０００３】
このような低電圧動作の電灯器具に電力を供給する装置として、発明者はジャンクションボックスを用いて、電灯器具の増設、および屋外での配線作業や点検が容易に行える屋外電灯器具用電力供給装置（以降、単に「電力供給装置」と略す）を開発した（非特許文献１参照）。
【０００４】
図５および図６を参照して、発明者が開発した従来の電力供給装置について説明する。図５に、従来の電力供給装置の構成を示す。従来の電力供給装置１ｂは、基本的に、ＤＣトランス９ｂと、ジャンクションボックス２ｂおよび２ｃで構成されている。
【０００５】
ＤＣトランス９ｂは、スイッチング電源等の交流を直流に変換する手段が防雨ケースに収容されたものである。ＤＣトランス９ｂは、建屋の外壁面に設置された商用電源のコンセント１０に接続され、ＡＣ１００Ｖの交流電力を降圧および整流してＤＣ１２Ｖの直流電力を生成する。ＤＣトランス９ｂで生成されたＤＣ１２Ｖの直流電力は、主電線４ａおよび４ｂを介してジャンクションボックス２ｂおよび２ｃに供給される。
【０００６】
ジャンクションボックス２ｂは、主電線４ａを介してＤＣトランス９ｂと接続され、主電線４ｂを介してジャンクションボックス２ｃと接続されている。またジャンクションボックス２ｃは、主電線４ｃを介して次段のジャンクションボックス（図示せず）と接続されている。
【０００７】
ジャンクションボックス２ｂは、さらに３本の分岐電線６を介して３つの電灯器具５ｂに接続されている。同様にジャンクションボックス２ｃは、３本の分岐電線６を介して３つの電灯器具５ａ（うち１つは省略）に接続されている。なお主電線４ａ〜４ｃおよび分岐電線６は、雨水などから電線を保護するため、プラスチック製の電線保護管８に挿入された状態で配線されている。
【０００８】
ジャンクションボックス２ｂおよび２ｃのボックス本体２０の底壁には、主電線４ａ〜４ｃおよび分岐電線６を通すための孔が設けられており、これらの孔に電線保護管８が挿入されている。電線保護管８は、完全防水のケーブルクランプ用コネクタ（図示せず）で底壁に固定され、電線保護管８とボックス本体２０との結合部から雨水や湿気がボックス本体２０内に進入するのを防止している。
【０００９】
ジャンクションボックス２ｂについては、ボックス本体２０の下面の四隅に支持脚２１が取り付けられており、支持脚２４を地中に埋めることにより、ボックス本体２０を設置面から浮かせている。同様に、ジャンクションボックス２ｃについても、ボックス本体２０の下面に円筒状の筒体２２が取り付けられている。
【００１０】
電灯器具５ａおよび５ｂは用途に応じて形状が異なっている。電灯器具５ｂは設置面上に立設して用いるものであり、分岐電線６は設置面上に這わせて配設されている。一方、電灯器具５ａは、その発光面が設置面とほぼ同一の高さとなるように地中に埋設して用いられ、分岐電線６も地中に埋設されている。電灯器具５ａを設置する際には、別途用意した保持具７の上部に組み込むようにしている。
【００１１】
図６に、図５の電力供給装置１ｂの配線図を示す。ジャンクションボックス２ｂおよび２ｃ（以降、総称して「ジャンクションボックス２」ともいう）のボックス本体内の中空部には、それぞれコネクタ３１および３２で構成された配線器具３が収容されている。コネクタ３１および３２は、それぞれ少なくとも３個（図では５個）の端子３０が同じ数だけ直列に接続され、かつ対応する位置にある端子３０によって端子対３３ａ〜３３ｅが形成されている。
【００１２】
主電線４ａ、４ｂおよび４ｃ（以降、総称して「主電線４」ともいう）は一対のコード４１と４２を含み、また分岐電線６は一対のコード６１と６２を含む。コネクタ３１、主電線４のコード４１および分岐電線６のコード６１は、ＤＣトランス９ｂから供給される直流電力のプラス（＋）側に接続され、コネクタ３２、主電線４のコード４２および分岐電線６のコード６２は、ＤＣトランス９ｂから供給される直流電力のマイナス（−）側に接続されている。
【００１３】
図６に示すように、従来の電力供給装置１ｂは、ジャンクションボックス２ｂおよび２ｃが、主電線４を介してカスケード接続、すなわち多段に接続されている。またそれぞれのジャンクションボックス２ｂおよび２ｃに、分岐電線６を介して動作電圧（ＤＣ１２Ｖ）の等しい電灯器具５ａおよび５ｂが複数個接続されている。
【００１４】
各ジャンクションボックス２ｂ、２ｃは、上述した配線形態を実現するための手段として、一対のコネクタ３１および３２で構成された配線器具３を備えている。またコネクタ３１および３２の５つの端子は、端子対３３ａ〜３３ｅを構成している。
【００１５】
ジャンクションボックス２ｂの端子対３３ａ〜３３ｅのうち、最上位の端子対３３ａは、主電線４ａのコード４１および４２を介してＤＣトランス９ｂの出力側に接続されている。また２番目の端子対３３ｂは、主電線４ｂのコード４１および４２を介してジャンクションボックス２ｃの配線器具３の最上位の端子対３３ａに接続されている。そして残りの端子対３３ｃ〜３３ｅは、それぞれ分岐電線６のコード６１および６２を介して電灯器具５ｂに接続されている。
【００１６】
同様に、ジャンクションボックス２ｃの端子対３３ａ〜３３ｅのうち２番目の端子対３３ｂは、主電線４ｃのコード４１および４２を介して次段のジャンクションボックス（図示せず）の配線器具３の最上位の端子対に接続されている。そして残りの端子対３３ｃ〜３３ｅは、それぞれ分岐配線６のコード６１および６２を介して電灯器具５ａに接続されている。
【００１７】
電灯器具５ａおよび５ｂの光源には、動作電圧（ＤＣ１２Ｖ）が等しいＬＥＤを用いている。動作電圧がＤＣ１２Ｖの電灯器具を用いることにより、庭園やエントランスの施工を行う業者が、電気工事士法の制約を受けることなく、電灯器具の配線工事を併せて行うことができる。また電灯器具の動作電圧が等しいので、配線器具３に電灯器具５ａ，５ｂを並列に接続するだけで、全ての電灯器具５ａ、５ｂにＤＣ１２Ｖの直流電力を供給できる。
【先行技術文献】
【特許文献】
【００１８】
【特許文献１】特許第３３４７９２８号公報
【非特許文献】
【００１９】
【非特許文献１】２００９年１月、株式会社タカショー発行の「タカショープロエクス総合カタログ」４５７ページ
【発明の概要】
【発明が解決しようとする課題】
【００２０】
上述した従来の電力供給装置１ｂを用いれば、電灯器具５ａ、５ｂを増設する場合でも、最終段のジャンクションボックスに主電線４を介して新たなジャンクションボックスを接続するだけで、増設された電灯器具５ａまたは５ｂに必要な電力を簡単に供給できる。
【００２１】
しかし、従来の電力供給装置１ｂは、複数のジャンクションボックスをカスケード接続した場合、主に主配線４で生じる電圧降下により、ＬＥＤの発光が不安定になる問題がある。
【００２２】
すなわち、トランス９とジャンクションボックス２ａとを接続する主配線４ａ、ならびにジャンクションボックス２間を接続する主配線４ｂおよび４ｃには、複数の照明器具５ａ，５ｂに流れる電流値を加算した電流値が流れるため、接続される電灯器具の容量（ワット数）によっては、予期しない大きさの電圧降下が生じる場合がある。そのような場合、照明器具の駆動電圧が低下することによりＬＥＤの光量が減少し、最悪の場合にはＬＥＤの発光が停止する。
【００２３】
本発明はこのような事情に鑑みてなされたもので、ジャンクションボックスを用いた場合の電圧降下による弊害を最小限に留めることができる電力供給装置を提供することを目的とする。
【課題を解決するための手段】
【００２４】
上記目的を達成するために、本発明にかかる電力供給装置は、商用電源から供給される交流電力をＤＣトランスで所定の電圧の直流電力に変換した後、この直流電力を、カスケード接続された少なくとも２個のジャンクションボックスを用いて、屋外に設置された動作電圧の等しい複数の電灯器具に供給する電力供給装置であって、
前記ＤＣトランスに接続された１段目のジャンクションボックスは、少なくとも３個の端子を有する第１のコネクタと、この第１のコネクタと同数の端子を有する第２のコネクタとで構成された配線器具がケース内に収容されたものであり、
前記配線器具は、前記第１のコネクタの少なくとも３個の端子と前記第２のコネクタの少なくとも３個の端子がそれぞれ端子対をなし、
前記配線器具の端子対のうち１個の端子対が前記ＤＣトランスの出力側に接続され、他の少なくとも１個の端子対が、後段のジャンクションボックスの端子対に接続され、残りの端子対が、それぞれ前記電灯器具に接続されており、
かつ、前記ＤＣトランスをケースに収容したトランス本体と前記１段目のジャンクションボックスとが一体化して構成されていることを特徴とする。
【００２５】
ここで、前記トランス本体と前記１段目のジャンクションボックスとは、それぞれのケースに取り付けられたジョイント部により電気的に接続され、かつ機械的に結合されていることが好ましい。
【００２６】
また前記トランス本体および前記１段目のジャンクションボックスは、一体化された状態で家屋の外壁面に取り付けられていることが好ましい。
【００２７】
また前記第１のコネクタおよび第２のコネクタは、前記ジャンクションボックスのケース内に浮いた状態で収容されていることが好ましい。
【００２８】
なお前記トランス本体には、前記ＤＣトランスと前記１段目のジャンクションボックスとを、所定の期間電気的に接続するタイマーが収容されていてもよい。
【発明の効果】
【００２９】
本発明の電力供給装置を用いれば、トランス本体と１段目のジャンクションボックスとを接続する主電線における電圧降下をほぼ無視できるため、２段目以降のジャンクションボックスに接続する照明器具の数を増やしたり、配線の長さを長くしたりすることができる。
【００３０】
また、１段目のジャンクションボックスは、トランス本体と共に、軒下などの雨水を避ける場所に設置されるため、簡易な防雨構造を採用すれば十分であり、結果として、構造の単純化とコストダウンが可能となる。
【００３１】
更に、１段目のジャンクションボックスの端子対を、主として次段のジャンクションボックスを接続するために用いれば、１段目のジャンクションボックスを基点として広いエリアに照明器具を配置することができ、照明器具のレイアウトを設計する際の自由度が増す。
【図面の簡単な説明】
【００３２】
【図１】本発明の実施の形態にかかる電力供給装置が建屋の外壁面に取り付けられた状態を示す正面図である。
【図２】図１の電力供給装置を構成する各部材の組み立て前の状態を示す斜視図である。
【図３】図１の電力供給装置の配線図である。
【図４】ジャンクションボックスに収容された一対のコネクタに主電線および分岐電線のコードが接続された状態を示す図である。
【図５】従来の電力供給装置の構成を示す図である。
【図６】図５の電力供給装置の配線図である。
【発明を実施するための形態】
【００３３】
以下、本発明の実施の形態にかかる電力供給装置について、図面を参照しながら説明する。
【００３４】
＜電力供給装置の構成＞
図１は、本発明の実施の形態にかかる電力供給装置１のうち、ＤＣトランスが収容されたトランス本体９および１段目のジャンクションボックス２ａが、建屋の外壁面８１に取り付けられた状態を示す。また図２は、図１のトランス本体９、ジャンクションボックス２ａおよびＡＣケーブル１７の組み立て前の状態を示す。以下、図１および図２を参照して、本実施の形態にかかる電力供給装置１の構成を説明する。
【００３５】
トランス本体９およびジャンクションボックス２ａは、第１のジョイント部９４および２３（図２参照）により、構造的に一体化された状態で外壁面８１に取り付けられている。
【００３６】
またトランス本体９に設けられた第２のジョイント部９３（図２参照）には、ＡＣケーブル１７が取り付けられており、ＡＣケーブル１７の先端部に設けられたプラグ１９は、建屋の外壁面８１に設けられたコンセント１０に接続されている。
【００３７】
なお、ジャンクションボックス２ａには、前述の図５と同様に、主電線４や分岐配線６を介して、次段のジャンクションボックスや照明器具５ａ、５ｂが接続されているが、煩雑さを避けるため、図では省略している。また図中、前述の図５および図６に記載の部材と同一の機能を有する部材には同一の符号を付している。なお、配線器具３およびコネクタ３１、３２の構成と機能は図５のそれらと同様であるため、ここでは説明を省略する。
【００３８】
図２に示すように、トランス本体９は、直方体の防水ケースに、ＤＣトランス９１（紙面に向かって右側）とタイマー９２（同左側）が収容されたものである。トランス本体９の下面の右側にはＡＣケーブル１７とのジョイント部９３が設けられ、同じく下面の左側には、ジャンクションボックス２ａとのジョイント部９４が設けられている。
【００３９】
タイマー９２の前面には、周囲の照度を検出する照度センサ９５とタイマー９２のオン／オフを行うボタン９６が設けられている。タイマー９２のボタン９６を押してオン状態にすると、日没などにより周囲が暗くなった場合に、照度センサ９５で検出した照度に基づいてタイマー９２が動作し、あらかじめ設定された所定の時間、ＤＣトランス９１からジャンクションボックス２ａへ直流電力が供給される。その結果、ジャンクションボックス２ａおよび後段のジャンクションボックス（図示せず）に接続された照明器具５ａ、５ｂに電力が供給され、庭園やエントランスが照明される。
【００４０】
トランス本体９の上面の左右には、外壁面８１への取り付け用の一対の金具９７が設けられており、トランス本体９ａは、金具９７の孔にネジ８２を挿入して外壁面８１に固定される。
【００４１】
直方体状のジャンクションボックス２ａは、上ケース２１と下ケース２２に分解することができ、中空部に図４に示す一対のコネクタ３１および３２が収容されている。上ケース２１と下ケース２２は、図示しないネジにより密閉されている。
【００４２】
ジャンクションボックス２ａの上面には、トランス本体９と接続されるジョイント部２３が設けられている。ジョイント部２３の中心孔には主電線４を構成するコード４１および４２が挿通されている。ジョイント部２３は回転させることができ、その内周面に形成されためねじをトランス本体９のジョイント部９４の外周面に形成されたおねじに螺合することにより、ジャンクションボックス２ａは、トランス本体９と電気的に接続され、かつ機械的に結合されて一体化する。
【００４３】
ジャンクションボックス２ａの下面には、主電線４および分岐電線６を挿通する入線部材２４が４つ設けられている。立方体状の入線部材２４の中心部には電線を通す孔が形成され、かつ外周面には、孔と直交する方向に、上ケース２１および下ケース２２の一部が嵌まり込む溝が形成されている。
【００４４】
ジャンクションボックス２ａの下ケース２２の上部の左右には、トランス本体９と同様に、外壁面８１への取り付け用の一対の金具２５が設けられており、ジャンクションボックス２ａは、金具２５の孔にネジ８３を挿入して外壁面８１に固定される。
【００４５】
ＡＣケーブル１７の上端部には、トランス本体９のジョイント部９３と接続されるジョイント部１８が設けられている。ジョイント部１８は、ＡＣケーブル１７とは独立して回転できるように構成されており、その中心孔には一対のコードが挿通されている。ジョイント部１８の内周面に形成されためねじをトランス本体９のジョイント部９３の外周面に形成されたおねじに螺合することにより、ＡＣケーブル１７は、トランス本体９と電気的かつ機械的に接続される。
【００４６】
＜電力供給装置の配線＞
図３に、図１の電力供給装置１の配線図を示す。図３に示した配線は、一部の点を除いて、図６に示した従来の電力供給装置１の配線と同じである。図３の配線が図６の配線と異なる点は、トランス本体９の構成、およびトランス本体９とジャンクションボックス２ａとの接続状態である。以下、それぞれの相違点について具体的に説明する。
【００４７】
図６に示す従来の電力供給装置１ｂでは、ＤＣトランス９ｂは、スイッチング電源が防水ケースに収容された構造をしていた。これに対し、図３に示す本発明の電力供給装置１では、トランス本体９は、スイッチング電源で構成されたＤＣトランス９１とタイマー９２が防水ケースに収容された構造をしている。
【００４８】
本発明装置のようにタイマー９２をＤＣトランス９１の下流側に配置すれば、直流駆動のタイマーを使用できる。またタイマー９２とＤＣトランス９１を同一のケースに収容することにより、電力供給装置のコンパクト化およびコストダインを図ることができる。
【００４９】
また本発明装置のように、トランス本体９とジャンクションボックス２ａとを構造的に一体化させることにより、ＤＣトランス９１とジャンクションボックス２ａのコネクタ３１、３２とを、最短のコード４１、４２で接続することができる。なお、ＤＣトランス９１とジャンクションボックス２ａとの間にタイマー９２が配置されているが、タイマー９２は単にコード４１および４２の接断を行うものであるため、コード４１、４２の長さは、タイマー９２の有無によってほとんど変わらない。
【００５０】
前述したように、ＤＣトランス９１と１段目のジャンクションボックス２ａとを結ぶ配線には、全ての電灯機器に流れる電流値を加算した電流値が流れる。従来の電力供給装置１ｂでは、電灯機器５ａ，５ｂに容量（すなわちＷ数）の大きいものを用いた場合、ＤＣトランス９１とジャンクションボックス２ｂを結ぶ主電線（コード４１および４２）に大きな電圧降下が生じる。ここでの電圧降下が大きいと、複数のジャンクションボックス２を介して接続された電灯器具５ａ，５ｂの動作電圧が低くなる。その結果、ＬＥＤの発光強度が低下し、最悪の場合にはＬＥＤの発光が停止する。
【００５１】
本発明の電力供給装置１は、トランス本体９とジャンクションボックス２ａとを機械的に結合して一体化させることにより、主電線（コード４１および４２）で発生する電圧降下を最小限に留めている。これに伴い、従来の電力供給装置１ｂに比較して電力供給装置１に接続する電灯機器の数を増やすことができ、また配線のトータルの長さを長くすることができる。
【００５２】
また、ジャンクションボックス２ａは、図１に示すように、トランス本体９と共に軒下などの雨風を避ける場所に設置されるため、簡易な防雨構造を採用すれば十分であり、結果として、構造の単純化とコストダウンが可能となる。
【００５３】
更に、ジャンクションボックス２ａの端子対３３ｂ〜３３ｅを、主として次段のジャンクションボックスを接続するために用いれば、建屋の外壁面８１に取り付けられたジャンクションボックス２ａを基点として、庭園やエントランスの広いエリアに照明器具５ａ、５ｂを配置することができる。
【００５４】
＜トランス本体およびジャンクションボックスの設置と配線＞
次に、図１および図４を参照して、トランス本体９ａおよびジャンクションボックスジャンク２ａの外壁面８１への設置と、ジャンクションボックス２ａにおける配線について説明する。図４は、ジャンクションボックス２ａに収容されたコネクタ３１および３２に、主電線４および分岐電線６のコードを接続した状態を示した図である。
【００５５】
なお、本実施の形態では、コネクタ３１および３２に主電線４および分岐電線６を接続する際の作業性を考慮し、コネクタ３１および３２を、ジャンクションボックス２ａのケース２１、２２内の中空部に浮いた状態で収容している。
【００５６】
また本実施の形態では、コネクタ３１および３２として、市販のワンタッチコネクタを用いることによって、接続の際の作業性を更に改善している。コネクタ３１および３２には、それぞれ５つのレバー３４が取り付けられており、図では隠れているが、レバー３４の下方の側面に、コードを挿入する穴がそれぞれ設けられている。レバー３４の上端を支点としてレバー３４を手前に回動した後、ストリッパ等を用いて先端部の絶縁被膜を取り除いたコードを穴に挿入し、しかる後、レバー３４を元の位置に戻すと、コードはコネクタに電気的かつ機械的に接続される。
【００５７】
配線を行う際には、図１に示すように、あらかじめトランス本体９を建屋の外壁面８１に取り付けておく。設置場所としては、地面から最低３０ｃｍ以上離れた場所で、近くにＡＣ１００Ｖのコンセント１０があり、かつなるべく雨のかからない場所が良い。
【００５８】
最初に、ジャンクションボックス２ａの上ケース２１を外す。ジャンクションボックス２ａのジョイント部２３には、トランス本体９のジョイント部９４を介してタイマー９２に接続される一対のコード４１および４２が埋設されており、その先端は下ケース２２内に延在している。
【００５９】
次に、プラス側のコネクタ３１の左端のレバー３４を操作して、トランス本体９のタイマー９２に接続されたプラス側のコード４１をコネクタ３１に接続する。具体的には、レバー３４を手前に回動した後、先端部の絶縁被膜が取り除かれたコード４１を、コネクタ下面の穴に差し込み、その後、レバー３４を元の位置に戻すと、コード４１はコネクタ３１に固定される。
【００６０】
同様の手順により、マイナス側のコネクタ３２の左端のレバー３４を操作して、トランス本体９のタイマー９２に接続されたマイナス側のコード４２をコネクタ３２に接続する。
【００６１】
次に、主電線４および分岐電線６を、ジャンクションボックス２の４つの入線部２３の孔に挿通すると共に（図２参照）、各コードの先端の絶縁被膜を取り除く。その後、それぞれの電線をコネクタ３１、３２に接続する。
【００６２】
まず、次段のジャンクションボックスに接続された主電線４のプラス側のコード４１について、プラス側コネクタ３１の左から２番目の穴に挿入し、上述と同様の方法でコネクタ３１に固定する。
【００６３】
同様の手順により、マイナス側のコネクタ３２の左から２番目のレバー３４を操作して、次段のジャンクションボックスに接続された主電線のマイナス側のコード４２をコネクタ３２に固定する。
【００６４】
照明器具５に接続された分岐電線６についても、主電線４と同様の手順により、プラス側のコード６１をプラス側のコネクタ３１に固定し、マイナス側のコード６２をマイナス側のコネクタ３２に固定する。なお図４では、煩雑さを避けるため、コネクタ３１および３２の右側の２つの穴に固定されたコード６１および６２については、省略している。
【００６５】
コネクタ３１および３２への全てのコードの接続が終了した後、下ケース２２の主電線４および分岐電線６に結束バンド（図示せず）を巻いて、それぞれの電線が入線部材２４から抜け落ちないようにする。そして、ジャンクションボックス２ａの上ケース２１を下ケース２２に取り付けて密閉する。
【００６６】
次に、ジャンクションボックス２ａのジョイント部２３をトランス本体９のジョイント部９４に接続して、ジャンクションボックス２ａとトランス本体９とを一体化する。更に、ネジ８３を用いてジャンクションボックス２ａを外壁面８１に取り付ける。
【００６７】
最後に、ＡＣケーブル１７のジョイント部１８をトランス本体９のジョイント部９３に接続した後、プラグ１９を商用電源であるＡＣ１００Ｖのコンセント１０に差し込む。その後、タイマー９２のボタン９６を押して、電力供給装置１を動作状態にセットする。このようにして、トランス本体９およびジャンクションボックス２ａの設置と一体化が完了する。
【００６８】
以上説明したように、本発明の電力供給装置では、ジャンクションボックスの本来の特性、すなわち電灯器具の増設や屋外での配線作業が簡単に行なえるという特性を維持したまま、多数の照明器具を接続した場合に生じる主電線での電圧降下の弊害を最小限に留めている。
【００６９】
具体的には、トランス本体とジャンクションボックスとを機械的に結合して一体化させることにより、ＤＣトランスとコネクタとを最短のコードで結び、主電線で発生する電圧降下を無視できる程度に留めている。結果として、従来装置に比較して電力供給装置に接続できる電灯器具の数を増やすことができ、更には配線のトータルの長さを長くすることができる。
【００７０】
なお本実施の形態では、ジャンクションボックス２ａに５つの端子を備えたコネクタ３１、３２を用いたが、端子の数は５つに限定されず、用途に応じて増減させることができる。またＤＣトランス９１としてスイッチング電源を用いたが、これに限定されず、交流電力を直流電力に変換する他の手段を用いても良い。
【産業上の利用可能性】
【００７１】
本発明にかかる電力供給装置は、庭園やエントランスに設置された電灯器具への電力供給に限定されず、屋外に設置された電灯器具への電力供給装置として広く利用できるものである。
【符号の説明】
【００７２】
１  電力供給装置
２ａ〜２ｃ  ジャンクションボックス
３  配線器具
４  主電線
５ａ、５ｂ  照明器具
６  分岐電線
９  トランス本体
１０  コンセント
１７  ＡＣケーブル
１８、２３、９３、９４  ジョイント部
１９  プラグ
２１  上ケース
２２  下ケース
２４  入線部材
３０  端子
３１、３２  コネクタ
３３ａ〜３３ｅ  端子対
４１、４２、６１、６２  コード
９１  ＤＣトランス
９２  タイマー
９５  照度センサ
９６  ボタン
【図１】
2011200070.tif 000003
【図２】
2011200070.tif 000004
【図３】
2011200070.tif 000005
【図４】
2011200070.tif 000006
【図５】
2011200070.tif 000007
【図６】
2011200070.tif 000008